(57)【要約】【課題】レシーバ機能とアキュームレータ機能を併せ持つ、部品点数の少ない合理的な構造の冷媒容器を提供する。【解決手段】冷媒を一時的に溜めておくことのできるタンク１０を有し、該タンク１０の下部に、気液流入口１５、液相用流出口１６、及び気相用流出口１７が設けられ、前記気液流入口１５から導入された冷媒を液相冷媒と気相冷媒とに分離し、該分離された液相冷媒のみを前記液相用流出口１６を介して膨張弁側に導出するレシーバ機能と、前記分離された気相冷媒を、前記液相冷媒中に含まれるオイルを伴って前記気相用流出口１７を介して圧縮機吸入側に導出するアキュームレータ機能とを併せ持つ。【選択図】図１
2018105554.tif 000002
【特許請求の範囲】
【請求項１】
冷媒を一時的に溜めておくことのできるタンクを有し、該タンクの下部に、気液流入口、液相用流出口、及び気相用流出口が設けられ、前記気液流入口から導入された冷媒を液相冷媒と気相冷媒とに分離し、該分離された液相冷媒のみを前記液相用流出口を介して膨張弁側に導出するレシーバ機能と、前記分離された気相冷媒を、前記液相冷媒中に含まれるオイルを伴って前記気相用流出口を介して圧縮機吸入側に導出するアキュームレータ機能とを併せ持つ冷媒容器。
【請求項２】
前記タンクは、前記気液流入口、前記液相用流出口、及び前記気相用流出口が設けられた底蓋部材によりその下面開口が気密的に閉塞され、該タンク内における前記底蓋部材の上側に、前記気液流入口から流入する冷媒が衝突するように前記タンクの内径より小径の気液分離促進板が配在されるとともに、前記気相用流出口に、前記タンクの上部から気相冷媒を該気相用流出口に導く気相用流出管が設けられ、該気相用流出管の下端部にストレーナが設けられていることを特徴とする請求項１に記載の冷媒容器。
【請求項３】
前記気相用流出管は、前記気相用流出口に一体的に設けられていることを特徴とする請求項２に記載の冷媒容器。
【請求項４】
前記気相用流出口が前記底蓋部材の中央に設けられていることを特徴とする請求項２又は３に記載の冷媒容器。
【請求項５】
前記気液分離促進板と前記ストレーナとが一体に設けられていることを特徴とする請求項２から４のいずれか一項に記載の冷媒容器。
【請求項６】
前記気液分離促進板及び前記ストレーナに、乾燥剤入りバッグを保持するバッグ保持部が一体的に設けられていることを特徴とする請求項５に記載の冷媒容器。
【請求項７】
前記気相用流出口を開閉する開閉弁が付設されていることを特徴とする請求項１に記載の冷媒容器。
【請求項８】
前記開閉弁は電磁式のものであることを特徴とする請求項７に記載の冷媒容器。
【発明の詳細な説明】
【技術分野】
【０００１】
本発明は、カーエアコン等のヒートポンプ式冷凍サイクル（以下、ヒートポンプシステムと称する）に使用される冷媒容器に係り、特に、冷媒を液相冷媒と気相冷媒とに分離し、この分離された液相冷媒のみを膨張弁側に導出するレシーバ機能と、前記分離された気相冷媒（＋オイル）を圧縮機吸入側に導出するアキュームレータ機能を併せ持つ冷媒容器に関する。
【背景技術】
【０００２】
カーエアコン等を構成するヒートポンプシステムとして、例えば特許文献１にも所載のように、圧縮機、凝縮器、蒸発器、膨張弁、流路切換弁、開閉弁等に加えて、気液分離を行って液相冷媒のみを膨張弁に導くためのレシーバと、気液分離を行って気相冷媒（オイルを含む）を圧縮機の吸入側に導くためのアキュームレータとを備えたものがある。
【０００３】
このようなレシーバとアキュームレータを備えたヒートポンプシステムでは、システム全体の占有スペースの縮小化、部品点数の削減等が要望されている。
【先行技術文献】
【特許文献】
【０００４】
【特許文献１】特開２０１３−１８４５９６号公報
【特許文献２】特開２０１２−１３６１４７号公報
【発明の概要】
【発明が解決しようとする課題】
【０００５】
上記要望に沿う一つの方策として、例えば特許文献２（の図１６）に所載のように、一つのタンク（容器）に、冷媒を液相冷媒と気相冷媒とに分離し、この分離された液相冷媒のみを膨張弁側に導出するレシーバ機能と、前記分離された気相冷媒を圧縮機吸入側に導出するアキュームレータ機能とを持たせることが考えられる。
【０００６】
しかしながら、上記特許文献２には、一つの容器がレシーバ及びアキュームレータとして機能することが示されているだけで、容器の内部構造等までは全く開示されていない。
【０００７】
本発明は、上記事情に鑑みてなされたもので、その目的とするところは、レシーバ機能とアキュームレータ機能を併せ持つ、部品点数の少ない合理的な構造の冷媒容器を提供することにある。
【課題を解決するための手段】
【０００８】
前記の目的を達成すべく、本発明に係る冷媒容器は、基本的には、冷媒を一時的に溜めておくことのできるタンクを有し、該タンクの下部に、気液流入口、液相用流出口、及び気相用流出口が設けられ、前記気液流入口から導入された冷媒を液相冷媒と気相冷媒とに分離し、該分離された液相冷媒のみを前記液相用流出口を介して膨張弁側に導出するレシーバ機能と、前記分離された気相冷媒を、前記液相冷媒中に含まれるオイルを伴って前記気相用流出口を介して圧縮機吸入側に導出するアキュームレータ機能とを併せ持つことを特徴としている。
【０００９】
好ましい態様では、前記タンクは、前記気液流入口、前記液相用流出口、及び前記気相用流出口が設けられた底蓋部材によりその下面開口が気密的に閉塞され、該タンク内における前記底蓋部材の上側に、前記気液流入口から流入する冷媒が衝突するように前記タンクの内径より小径の気液分離促進板が配在されるとともに、前記気相用流出口に、前記タンクの上部から気相冷媒を該気相用流出口に導く気相用流出管が設けられ、該気相用流出管の下端部にストレーナが設けられる。
【００１０】
更に好ましい態様では、前記気相用流出管は、前記気相用流出口に一体的に設けられる。
【００１１】
別の好ましい態様では、前記気相用流出口が前記底蓋部材の中央に設けられる。
【００１２】
別の好ましい態様では、前記気液分離促進板と前記ストレーナとが一体に設けられる。
【００１３】
更に好ましい態様では、前記気液分離促進板及び前記ストレーナに、乾燥剤入りバッグを保持するバッグ保持部が一体的に設けられる。
【００１４】
他の好ましい態様では、前記気相用流出口を開閉する開閉弁が付設される。
【００１５】
更に好ましい態様では、前記開閉弁は電磁式のものである。
【発明の効果】
【００１６】
本発明に係る冷媒容器は、レシーバ機能とアキュームレータ機能を併せ持ちながら、レシーバとアキュームレータにおけるタンク部分、流入口部分、気液分離部分、及びストレーナ部分等を共用化できるので、部品点数の少ない合理的な構造とすることができ、そのため、当該冷媒容器が採用されたヒートポンプシステムでは、システム全体の占有スペースの縮小化、部品点数の削減等が図られ、コスト低減や小型化等を効果的に図ることができる。
【００１７】
また、当該冷媒容器に開閉弁が付設され、該開閉弁の開閉（ON−OFF）でシステムの運転状態に応じてレシーバとして機能する状態とアキュームレータとして機能する状態とを切り換えられるので、例えば開閉弁を外部に設ける場合に比して、システムの配管系等をシンプルなものとすることができる。
【００１８】
上記に加え、本発明に係る冷媒容器では、気液混在状態の冷媒を上向きに導入して、気液分離促進板に衝突させて放射状に拡散させ、衝突拡散した冷媒がタンクの内周面と当該気液分離促進板の外周面との間の隙間を通って液相冷媒が撹拌されるとともに、気相冷媒が液内で上昇することによっても液相冷媒がさらに撹拌される。そのため、液相冷媒が一気に爆発的に沸騰する突沸現象及びそれに伴う衝撃音の発生を効果的に抑えることができるという効果も得られる。
【図面の簡単な説明】
【００１９】
【図１】本発明に係る冷媒容器の第１実施形態を示す部分切欠半縦断面図。
【図２】第１実施形態の冷媒容器の内蔵ユニットを示し、（Ａ）は平面図、（Ｂ）は半縦断面図。
【図３】本発明に係る冷媒容器の第２実施形態を示す部分切欠半縦断面図。
【図４】第２実施形態の冷媒容器の内蔵ユニットを示し、（Ａ）は平面図、（Ｂ）は半縦断面図。
【発明を実施するための形態】
【００２０】
以下、本発明の実施形態を図面を参照しながら説明する。
【００２１】
［第１実施形態］
図１は、本発明に係る冷媒容器の第１実施形態を示す部分切欠半縦断面図である。
【００２２】
図示実施形態の冷媒容器１は、例えば電気自動車用カーエアコンを構成するヒートポンプシステムに用いられるもので、ステンレスあるいはアルミ合金等の金属製の、下面が開口した天面部付き円筒状のタンク１０を有し、このタンク１０の下面開口は、同じ金属製の底蓋部材１２により気密的に閉塞されている。なお、本実施形態の冷媒容器１は、例えば、図示のように縦置き、つまり、底蓋部材１２を下（地）側、タンク１０の天面部１３を上（天）側にして設置される。
【００２３】
底蓋部材１２には、いずれも該底蓋部材１２を貫通してその上下に開口するように、左端側に気液流入口１５、中央に大径の気相用流出口１７、右端側に比較的小径の液相用流出口１６が並設されている。なお、本実施形態の冷媒容器１では、気液流入口１５は凝縮器に接続され、液相用流出口１６は膨張弁に接続され、気相用流出口１７は圧縮機の吸入側に接続される。
【００２４】
気相用流出口１７には、タンク１０の上部から気相冷媒を当該気相用流出口１７に導くための直管（中心線に沿った直線状の管）からなる気相用流出管３０が一体的に設けられている。
【００２５】
底蓋部材１２の上面側中央部分（中央の気相用流出口１７と右端側の液相用流出口１６を含む部分）には、後述する内蔵ユニット２０をスナップフィット式で連結するための環状凹部が形成された短円筒状の内嵌連結部１９が突設されている。
【００２６】
また、タンク１０内には、内蔵ユニット２０が配在されている。この内蔵ユニット２０は、例えば合成樹脂製とされ、図２も併せて参照すればよくわかるように、その下部に環状円板状の気液分離促進板２２を備える。気液分離促進板２２は、気液流入口１５からタンク１０内に流入した冷媒が衝突して放射状に拡散するとともに、衝突拡散した冷媒がタンク１０の内周面と当該気液分離促進板２２の外周面との間を通って上側に流動するように、その外径がタンク１０の内径より若干小さくされるとともに、その内径が後述するストレーナ４０の内径と略等しい環状円板とされ、その下面が前記気液流入口１５と対向するように底蓋部材１２（における気液流入口１５）の上面から所定距離上側に配置されている。
【００２７】
また、気液分離促進板２２の下面側中央には、前記底蓋部材１２に設けられた内嵌連結部１９の環状凹部に嵌り込む環状突起が形成された短円筒状の外嵌連結部２９が下向きに突設されている。このようにされることにより、底蓋部材１２と内蔵ユニット２０とをスナップフィット式で連結できるので、組み立てが簡単容易となっている。
【００２８】
前記気液分離促進板２２の上面側中央には、ストレーナ４０が設けられるとともに、その上面側外周の４箇所には等角度間隔（すなわち９０°間隔）で補強立板部２３が立設されており、該補強立板部２３の外周部はタンク１０の内周に当接せしめられている。
【００２９】
前記ストレーナ４０の上側で補強立板部２３の内周側には、円筒状ないし平面視C字状に巻かれた乾燥剤Ｍ入りバッグ７０の略全体が押し込まれて保持される有底円筒状のバッグ保持部２４が一体的に設けられている。バッグ保持部２４には、肉厚方向に冷媒を通すための複数の長穴２６が形成されている。なお、バッグ保持部２４内に収容されるバッグ７０は、通気性・通水性並びに所要の形状保持性を有するフェルト等の布状体で作製され、その中に粒状の乾燥剤Ｍが略満杯に充填されており、所定の高さを有している。また、バッグ保持部２４の内周側には、前記気相用流出管３０が内挿（圧入）される小径短円筒状の中央筒状部２７が設けられており、バッグ保持部２４内に収容されたバッグ７０の内側に、若干の隙間を持って前記気相用流出管３０が内挿されている。勿論、中央筒状部２７に気相用流出管３０を圧入し、その後、バッグ保持部２４の内壁に沿うようにバッグ７０を挿入しても良い。
【００３０】
一方、前記ストレーナ４０は、気液分離促進板２２上に一体に設けられており、円筒状の網目フィルタ４５と、この網目フィルタ４５が固着されたケース部４２とからなっている。網目フィルタ４５は、例えば、金網や合成樹脂製のメッシュ材等から作製される。ケース部４２は、上下の環状円板部とそれらの間に位置する補強立板部２３の内周端部（４箇所）とで構成されている。すなわち、４本の柱状部（内周端部）の間に側面視矩形の４つの窓が画成され、この各窓部分に網目フィルタ４５が張られていることになる。なお、網目フィルタ４５は、ケース部４２（内蔵ユニット２０）の成形時にインサート成形により一体化されても良い。
【００３１】
前記底蓋部材１２に一体に設けられた気相用流出管３０の下端部近く、言い換えれば、網目フィルタ４５の内側で液相用流出口１６より上側に、オイル戻し孔３６が設けられている。このオイル戻し孔３６の孔径は例えば１ｍｍ前後に設定されている。
【００３２】
上記に加え、本実施形態の冷媒容器１は、冷房運転時にはレシーバとして機能させるとともに、暖房運転時にはアキュームレータとして機能させる必要があるため、図示は省略されているが、気相用流出口１７（あるいは、それに続く気相冷媒導出流路）を、冷房運転時には閉じ、暖房運転時には開く例えば電磁式の開閉弁が一体的又は別体で設けられる。
【００３３】
このような構成とされた冷媒容器１の冷房運転時と暖房運転時の動作を説明する。
【００３４】
冷房運転時及び暖房運転時のいずれも、凝縮器から気液流入口１５を介してタンク１０内に上向きに導入された気液混在状態の冷媒は、気液分離促進板２２下面の左端近くに衝突して放射状に拡散され、衝突拡散した冷媒がタンク１０の内周面と当該気液分離促進板２２の外周面との間の隙間を通って上側に向かって整流化されて、液相冷媒と気相冷媒とが効果的に分離される。この場合、液相冷媒（オイルを含む）はタンク１０の下部空間に溜まるとともに、気相冷媒はタンク１０の上部空間に上昇する。
【００３５】
冷房運転時には、前記開閉弁が閉弁状態（電源OFF）とされ、気相用流出口１７が閉じられるので、気相冷媒は圧縮機吸入側には導出されない。
【００３６】
また、この冷房運転時には、タンク１０の下部空間に溜まった液相冷媒は、タンク１０内部と膨張弁側との圧力差により、ストレーナ４０（の網目フィルタ４５）を通って液相用流出口１６から膨張弁に導かれる。
【００３７】
したがって、この冷房運転時には、本実施形態の冷媒容器１はレシーバ（レシーバドライヤー）として機能する。
【００３８】
それに対し、暖房運転時には、前記開閉弁が開弁状態（電源ON）とされ、気相用流出口１７が開かれるので、気相冷媒は、タンク１０の上部空間→気相用流出管３０→気相用流出口１７を介して圧縮機吸入側に直接吸入されて循環せしめられる。
【００３９】
この暖房運転時には、タンク１０の下部空間に溜まった液相冷媒は、圧力差の関係で膨張弁へはほとんど流れない。
【００４０】
また、液相冷媒とともにタンク１０の下部空間に溜まるオイルは、液相冷媒との比重や性状の相違等によりタンク１０の底蓋部材１２側に移動していき、気相用流出管３０を介して圧縮機吸入側に吸入される気相冷媒に吸引されて、ストレーナ４０の網目フィルタ４５→気液流出管３０の下端部付近に設けられたオイル戻し孔３６を通って気相冷媒とともに圧縮機吸入側に戻されて循環せしめられる。網目フィルタ４５を通る際にはスラッジ等の異物が捕捉され、異物は、循環する冷媒（オイルを含む）から取り除かれる。
【００４１】
したがって、この暖房運転時には、本実施形態の冷媒容器１はアキュームレータとして機能する。
【００４２】
上記のように、本実施形態の冷媒容器１は、レシーバ機能とアキュームレータ機能を併せ持ちながら、レシーバとアキュームレータにおけるタンク部分（タンク１０）、流入口部分（気液流入口１５）、気液分離部分（気液分離促進板２２）、及びストレーナ部分（ストレーナ４０）を共用化しているので、部品点数の少ない合理的な構造とすることができ、そのため、当該冷媒容器１が採用されたヒートポンプシステムでは、システム全体の占有スペースの縮小化、部品点数の削減等が図られ、コスト低減や小型化等を効果的に図ることができる。
【００４３】
また、当該冷媒容器１に開閉弁を付設して、該開閉弁の開閉（ON−OFF）でシステムの運転状態に応じてレシーバとして機能する状態とアキュームレータとして機能する状態とを切り換えられるようにされているので、例えば外部に開閉弁を設ける場合に比して、システムの配管系等をシンプルなものとすることができる。
【００４４】
上記に加え、本実施形態の冷媒容器１では、気液混在状態の冷媒をタンク１０の下部に設けられた気液流入口１５からタンク１０内に上向きに導入して、気液分離促進板２２に衝突させて放射状に拡散させ、衝突拡散した冷媒がタンク１０の内周面と当該気液分離促進板２２の外周面との間の隙間を通って液相冷媒が撹拌されるとともに、気相冷媒が液内で上昇することによっても液相冷媒がさらに撹拌される。このようにタンク１０に溜まる液相冷媒を撹拌することにより、液相冷媒が一気に爆発的に沸騰する突沸現象及びそれに伴う衝撃音の発生を抑えることが可能となる。
【００４５】
［第２実施形態］
図３は、本発明に係る冷媒容器の第２実施形態を示す部分切欠半縦断面図である。
【００４６】
図示実施形態の冷媒容器２が、前述した第１実施形態の冷媒容器１と相違するのは、内蔵ユニット２０におけるバッグ保持部の構造と、底蓋部材１２と内蔵ユニット２０との連結構造部分であり、他の部分は基本的には同じであるので、以下においては相違点のみを説明する。
【００４７】
本実施形態の冷媒容器２では、底蓋部材１２の上面側中央部分には、内蔵ユニット２０Ａをねじ込み式で連結するための雄ねじ部１９Ａが設けられる一方、内蔵ユニット２０Ａ側には、前記雄ねじ部１９Ａに螺合する雌ねじ部２９Ａが設けられている。このようなねじ込み式でも、組み立てが簡単容易となる。
【００４８】
また、本実施形態では、図３に加えて図４を参照すればよくわかるように、内蔵ユニット２０Ａにおけるストレーナ４０の上側で補強立板部２３Ａの内周側に、前記気相用流出管３０が内挿される小径の長円筒部２７Ａを持つボビン状のバッグ保持部２４Ａが設けられている。このボビン状のバッグ保持部２４Ａは、その長円筒部２７Ａに乾燥剤Ｍ入りバッグ７０を巻き付けてその外周に結束バンド２８を巻き回して固定保持するようになっている。この場合、保持されているバッグ７０は円筒形ないし平面視C字状となっており、バッグ７０の上端及び下端は、バッグ保持部２４Ａの上下一対のフランジ部２５ａ、２６ｂに若干押し付けられている。
【００４９】
他の構成は、基本的には上記第１実施形態と略同じであり、上記第１実施形態と略同様な作用効果が得られることは詳述するまでも無い。
【００５０】
なお、上述の実施形態においては、気相用流出口１７を開閉弁で開閉するようにされているが、それに加えて、液相用流出口１６を開閉するための開閉弁を設けて、該開閉弁を気相冷媒側とは逆理で開閉するようにしてもよく、さらに、気相用と液相用の開閉弁を纏めて四方弁としてもよい。
【００５１】
また、当該冷媒容器１に上記開閉弁や四方弁を必ずしも設ける必要はなく、それらを外部流路、例えば液相用流出口と膨張弁とを結ぶ流路や気相用流出口と圧縮機吸入側とを結ぶ流路に介装するようにしてもよい。
【符号の説明】
【００５２】
１    冷媒容器（第1実施形態）
２    冷媒容器（第２実施形態）
１０    タンク
１２    底蓋部材
１３    タンクの天面部
１５    気液流入口
１６    液相用流出口
１７    気相用流出口
２０    内蔵ユニット
２２    気液分離促進板
２３    補強立板部
２４    バッグ保持部
３０    気相用流出管
３６    オイル戻し孔
４０    ストレーナ
４５    網目フィルタ
７０    バッグ
Ｍ    乾燥剤
【図１】
2018105554.tif 000003
【図２】
2018105554.tif 000004
【図３】
2018105554.tif 000005
【図４】
2018105554.tif 000006